(57)【要約】      （修正有）【課題】ストラップを用いる時、使用者の目的に合せて、通信機をストラップの長さを自在に連結し、携帯して使用出来る、通信機用補助具を提供する。【解決手段】ストラップの長さをボタンで自在に調整固定し、取付および取外しが簡単に出来るもので、通信機、収納具、イヤホン、マイク、コードがストラップを介して保持される。通信機を手放し式で使用出来るように、収納具に接合材を取付けて、自在の場所に取付けることで便利に使用可能に構成する。マイカーに取付ける時、通信機のレンズ方向が回転出来る機種を使用すると視界を変えることが出来る。通信機の電磁波が人体への健康被害を受けると言われているが、これを予防するために顔に接することなく使用し、盗難、交通事故等の検証ＶＴＲ、測位システム情報機能、空き巣の防犯に使用出来る。【選択図】図６
0003136748.tif 000002
【実用新案登録請求の範囲】
【請求項１】
ストラップに多数の開口部を設け、２つの開口部がボタンを介して固定連結し、そのストラップに通信機を連結して取付けることを特徴とする通信機用補助具。
【請求項２】
ストラップに多数の開口部を設け、２つの開口部がボタンを介して固定連結し、通信機の保持を可能とした接合材を付設する収納具に通信機を収納し、ストラップに連結して取付けることを特徴とする通信機用補助具。
【考案の詳細な説明】
【技術分野】
【０００１】  本考案は、日常使用する携帯用通信機が便利に使用可能となる補助具の提供を目的とした携帯通信機用補助具に関するものである。
【背景技術】
【０００２】  現在使用されている携帯通信機は手持ち式で、顔に接して使用している。又通信機の使用時に何らかの原因で落すことがあり、それが故障の原因となっている。市販ストラップ等の用具はあるが、通信機との長さを使用時に加減出来ないため不便である。
【考案の開示】
【考案が解決しようとする課題】
【０００３】  現在では、市販のストラップで長さを自在に加減して使用出来るものがなく、長さを変えて使用出来るものが求められている。ストラップの長さを個人の使用目的に合致するように、ストラップの長さが自在に変更出来るものが必要である。
【課題を解決するための手段】
【０００４】  上記の目的を達成するため、請求項１に記載の本考案の通信機用補助具は、ストラップに多数の開口部を設け、２つの開口部がボタンを介して固定連結し、そのストラップに通信機を連結して取付けることを特徴とする通信機用補助具である。【０００５】  請求項２に記載の本考案の通信機用補助具は、ストラップに多数の開口部を設け、２つの開口部がボタンを介して固定連結し、通信機の保持を可能とした接合材を付設する収納具に通信機を収納し、ストラップに連結して取付けることを特徴とする通信機用補助具である。【０００６】  したがって本考案においては、携帯通信機はストラップの一端に取付けられて、ストラップの長さをボタンの取付位置を変えることにより自在に加減出来る。
【考案の効果】
【０００７】  本考案は上記のとおり構成されているので、次に記載する効果がある。【０００８】  携帯通信機をストラップの一端に取付けるのであるが、このストラップには適当な間隔の開口部を設ける。開口部の止め具としてボタンを用いて、自在に長さを調整固定して使用するベルトである。【０００９】  ストラップの開口部２ケ所を合せて、ボタンを介してストラップの長さを必要な開口部で固定する。首から掛けて使用する物であり、イヤホン、マイクを取付けると使用に便利であり、通信機は手で持たなくても交信出来る。【００１０】  ストラップには、マイクの雑音を防止し、交信が他人に迷惑をかけることがないようにフードを取付ける。【００１１】  通信機を収納する容器に磁石、面ファスナー等を付設するか、又は接合材で使用に適した場所に取付ける。ストラップを伸すと離れた場所で交信が可能となる。回転可能なカメラ付携帯通信機のレンズ方向を使用目的に合せて回転変更し、目的の映像を得ることが出来る。これは防犯用に活用出来る効果がある。通信機は手で持たなくてもよく、顔に接しての交信は電磁波が脳に害を与えるとの説もあり、公共交通機関で他人への迷惑を予防出来る。【００１２】  収納具に磁石、クリップ、又は接合材を用いると、通信機の取付けに難のある場所に収納具を取付けることが可能となる。イヤホン、マイクを使うことで、手放し式で交信出来る。【００１３】  カメラ付通信機にスイッチ又はセンサーを付設し、ワイヤーを介してドアーに連結すると、ドアーの開放時にスイッチが入力される。自動車の盗難、空き巣による不法侵入に通信機から交信される。防犯カメラとして他人に発見され難い場所に設置出来る。
【考案を実施するための最良の形態】
【００１４】  以下に、本考案の実施形態を図面に基づいて説明すると、図１はストラップ１の構造を示す斜視図である。ストラップ１を適当な間隔に結束材２で結束し、多数の開口部４を設け、ストラップ１の一端を挿入してボタン３で止めている。【００１５】  図２はストラップ１′の中心に多数の開口部４′を設けた斜視図である。図３はボタン３の拡大斜視図である。図４はフード９の展開図であり、図５はマイク７を囲んだフード９の切込み部分にストラップ１のボタン３を差し込む直前の状態の斜視図で、コード６、イヤホン８を組合わせる構造である。【００１６】  図６はストラップ１がボタン３で固定され、通信機５とコード６、マイク７、イヤホン８、フード９、収納具１０、ワイヤー１５、磁石又は接合材１７を付設した形状の他の実施形態を示す断面図である。接合材１７としては磁石、ゴム磁石、面ファスナー、クリップ等があり、使用個所により適したものを使用する。通信機の機種により収納具の型状はそれに合致したものを使用し、腰ベルトに取付ける収納具を用いてもよい。【００１７】  図７は収納具１０に通信機５が使用可能状に開けられる形態で収納し、スイッチ開口部１３を設けた斜視図である。通信機の長さ、厚み、幅が機種によって異なるので、折りたたみ式で組立てられる収納具１０にしても差し支えない。図８は斜視図で、収納具１０にスイッチケース１１、ワイヤー１５を付設したものであり、ワイヤー１５を引張るとスイッチを作動させることができる構成となっている。図９は図８のＡ−Ａ線切断部分の要部断面図で、スイッチボタン１４を示すものである。図１０は図８のＢ−Ｂ線切断部分の要部断面図である。スイッチケース１１内のピストン１２が板バネ１６を通過する時、スイッチボタン１４を押し、スイッチ１４が入力される。ワイヤー１５の通過後は、板バネ１６がピストン１２の逆止ストッパーとなる。スイッチ装置に変えて他のセンサーを使用しても何ら差し支えなく使用が可能である。スイッチは短縮機能で定められた指定の通信機に送信されることで異状を感知する。【００１８】  以上のように形成された補助具を用いて通信機を使用する場合に、ストラップ１の長さを加減してボタン３の固定位置を変えて使用する。複数個のボタン３で固定出来る。コード６、マイク７、イヤホン８、フード９もストラップ１に支持されて使用する。ストラップ１はロープ状のものを使用して結束具２で束ねて開口部４を作る以外に、帯状のストラップ１′に切込み状の開口部４′を設けても差し支えなく使用出来る。ストラップの一端を開口部４に挿入することも可能であり、コード６を開口部４に挿入することも出来て、コード６のもつれを予防出来る。図１０の断面図に示すスイッチ開口部１３とスイッチケース１１内に通信機５のスイッチボタン１４を合せて板バネ１６を設けたものである。交信は継続して使用出来るが、交信終了後は再度セットをする必要がある。収納具１０で通信機５を隠して設置する場合、通信機にレンズ付のもの、又は全地球測位システム情報機能が付設してあれば防犯用として提供出来る。スイッチ開口部１３は通信機機種により位置が異なるので、機種に合せたスイッチ開口部１３を設ける。【００１９】  レンズ付通信機５が回転出来る機種を使用する場合、多種の機種が市販されているので送信画像方向が自在に変えられる。防犯用には自動車運転者の姿が撮れる方向に、交通事故が予想される混雑時はレンズで前方を撮ることが出来る。事故発生時の証明にも利用出来る。イヤホンマイクとストラップを使用することにより、通信機をポケットに入れていて使用出来るだけでなく、通信機を顔面に接触しての交信を止めると、電磁波を脳に受けることなく健康被害から逃げられる。このため２０センチ以上身体より離して使用する事が大切で、ストラップ、イヤホンマイクが必要である。【００２０】  ストラップ１の首の部分に汗取り用襟を取付けると夏の日射を防ぎ、アクセサリーとすることも可能である。薄着に対して首の日焼けを防止出来る。
【図面の簡単な説明】
【００２１】
【図１】本考案の斜視図である。
【図２】本考案の斜視図である。
【図３】本考案のボタンの形状を示す拡大斜視図である。
【図４】本考案のフードの展開図である。
【図５】本考案のマイクとその周辺部材の形状を示す要部斜視図である。
【図６】本考案の他の実施形態を示す断面図である。
【図７】本考案の通信機と収納具を示す斜視図である。
【図８】本考案の通信機と収納具を示す斜視図である。
【図９】図８のＡ−Ａ線切断部における要部断面図である。
【図１０】図８のＢ−Ｂ線切断部における要部断面図である。
【符号の説明】
【００２２】  １，１′  ストラップ      ２  結束材                  ３  ボタン
４，４′  開口部          ５  通信機                  ６  コード
７  マイク                ８  イヤホン                ９  フード
１０  収納具              １１  スイッチケース        １２  ピストン
１３  スイッチ開口部      １４  スイッチボタン        １５  ワイヤー
１６  板バネ              １７  磁石又は接合材
【図１】
0003136748.tif 000003
【図２】
0003136748.tif 000004
【図３】
0003136748.tif 000005
【図４】
0003136748.tif 000006
【図５】
0003136748.tif 000007
【図６】
0003136748.tif 000008
【図７】
0003136748.tif 000009
【図８】
0003136748.tif 000010
【図９】
0003136748.tif 000011
【図１０】
0003136748.tif 000012